(57)【要約】多量の熱風を作成すること。熱風溶接機１は、筒状をなし一端側がバーナーの炎の噴出部位に装着され、内部に触媒作用を発揮する部材が配置され側部に開口部３１１が形成された筐体３１と、バーナーの炎の噴出前に開口部３１１を開いておき、噴出後に開口部３１１の開口面積を小さくする調節部３２と、を有する。
2018078708.tif 000002
【特許請求の範囲】
【請求項１】
筒状をなし一端側がバーナーの炎の噴出部位に装着され、内部に触媒作用を発揮する部材が配置され側部に開口部が形成された筐体と、
前記バーナーの炎の噴出前に前記開口部を開いておき、噴出後に前記開口部の開口面積を小さくする調節部と、
を有することを特徴とするバーナー用触媒金具。
【請求項２】
筒状をなし一端側がガスバーナーの炎の噴出部位に装着され、内部に触媒作用を発揮する部材が配置され側部に開口部が形成された筐体と、前記開口部の開口面積を調節する調節部と、を有するバーナー用触媒金具が取り付けられたガスバーナーを用意し、
前記バーナーの炎の噴出前に前記開口部を開いておき、噴出後に前記開口部の開口面積を小さくする、
ことを特徴とする操作方法。
【請求項３】
筒状をなし一端側がバーナーの炎の噴出部位に装着され、内部に触媒作用を発揮する部材が配置され側部に開口部が形成された筐体と、前記バーナーの炎の噴出前に前記開口部を開いておき、噴出後に前記開口部の開口面積を小さくする調節部と、を有するバーナー用触媒金具と、
燃料ガスを収容するガスタンクからの燃料ガスを噴出する噴出部と前記燃料ガスの流量を調節する調節部とを備えるバーナー本体と、
ことを特徴とする熱風溶接機。
【発明の詳細な説明】
【技術分野】
【０００１】
本発明はバーナー用触媒金具、操作方法、および熱風溶接機に関する。
【背景技術】
【０００２】
ガスの熱源を利用して、温風や熱風を発生させる装置が知られている。例えば、知られている装置においては、ガスノズルから噴出したガスは、高速ガス流の噴出効果によって吸気口から空気を吸引する。こうして、混合部で燃料ガスは空気と混合された混合ガスとなって、燃焼室に供給される。燃焼室の内部には触媒体が設けられており、混合ガスは触媒体の内部を通過するものである。このときに触媒体の触媒作用によって触媒燃焼し、燃焼熱を発生するようになっている。燃焼室の混合ガス入口と反対側には、点火装置が設けられている。【０００３】
使用者は、始動時には混合ガスに点火する。点火された混合ガスによって、触媒体の下流には小さな火炎が形成される。この火炎によって触媒体は加熱され、触媒体の温度が上昇する。こうして触媒体が活性温度に達すると、触媒体の表面で触媒燃焼が開始される。触媒燃焼が開始されると、火炎が触媒燃焼で吸収されて火炎は消滅する。この状態で、燃焼室に供給している混合ガスは、触媒体の全体で触媒燃焼を行ない、燃焼ガスは排気口から排出される。
【先行技術文献】
【特許文献】
【０００４】
【特許文献１】特開２０００−１７９８０７号公報
【発明の概要】
【発明が解決しようとする課題】
【０００５】
小型で携帯できるサイズのバーナーを用いて強い熱風を作成する場合を考える。この場合、火力の強いバーナーを用いて限られたスペースに触媒体を置いて熱風を作成することになる。触媒体を加熱する際には多量の空気をスペースに取り入れないと火が消えてしまう。しかし、多量の空気をスペースに取り入れ続けると、今度は触媒体に触媒作用を発揮させた後に炎を消すことが困難である。
１つの側面では、本発明は、小型で携帯できるサイズのバーナーを用いて多量の熱風を作成することを目的とする。
【課題を解決するための手段】
【０００６】
上記目的を達成するために、開示のバーナー用触媒金具が提供される。このバーナー用触媒金具は、筒状をなし一端側がバーナーの炎の噴出部位に装着され、内部に触媒作用を発揮する部材が配置され側部に開口部が形成された筐体と、バーナーの炎の噴出前に開口部を開いておき、噴出後に開口部の開口面積を小さくする調節部と、を有している。
【発明の効果】
【０００７】
１態様では、小型で携帯できるサイズのバーナーを用いて多量の熱風を作成することができる。
本発明の上記および他の目的、特徴および利点は本発明の例として好ましい実施の形態を表す添付の図面と関連した以下の説明により明らかになるであろう。
【図面の簡単な説明】
【０００８】
【図１】実施の形態の熱風溶接機を示す図である。
【図２】筐体を説明する図である。
【図３】調節部を説明する図である。
【図４】第２の位置に位置しているときの筒部を説明する図である。
【図５】第１の位置と第２の位置を説明する断面図である。
【図６】変形例のバーナー用触媒金具を説明する図である。
【図７】変形例のバーナー用触媒金具を説明する図である。
【図８】異なる形状の把持部を取り付けたときのバーナー用触媒金具を説明する図である。
【図９】ノズルが装着された変形例のバーナー用触媒金具を説明する図である。
【発明を実施するための形態】
【０００９】
以下、実施の形態の熱風溶接機を、図面を参照して詳細に説明する。
＜実施の形態＞
図１は、実施の形態の熱風溶接機を示す図である。
実施の形態の熱風溶接機１は、例えば、長尺シート等のつなぎ目の溶接や、シートの補修等に用いられる。
【００１０】
熱風溶接機１は、バーナー本体２にガスボンベ１００が取り付けられている。ガスボンベ１００としては、例えば、プロパン、ブタン等の液化石油ガスが充填されるカセットコンロ用のカセットボンベ等が挙げられる。
【００１１】
バーナー本体２は、ガスボンベ１００の液化ガスを燃料にして炎を噴出する。このバーナー本体２は、ガスボンベ１００を装着する装着部２１と、ガスボンベ１００に充填されている液体ガスを気化したガスを火口管２２に導くガス流路（図示せず）とを有している。また、バーナー本体２は、火口管２２において空気と混合された混合ガスに点火する点火部（図示せず）を有している。
また、バーナー本体２には、ガス流路を流れるガスの流量を調節する調節ネジ２３が設けられている。
火口管２２の先端側にはバーナー用接触金具３が、火口管２２に対して着脱自在に取り付けられている。
バーナー用接触器具３は、筐体３１と、調節部３２とを有している。
【００１２】
筐体３１は、筒状をなしている。この筐体３１の側部には、空気を筐体３１内部に取り入れる開口部３１１が形成されている。なお、開口部の形状や、数は図示のものに限定されない。
調節部３２は、開口部３１１の開口面積を調節する際に用いる。
バーナー用接触器具３の先端側にはＶ字型のノズル４がバーナー用接触器具３に対して着脱自在に取り付けられている。
【００１３】
ノズル４には、溶接棒（図示せず）を通す筒４１が設けられている。なお、本実施の形態では、長尺シート等のつなぎ目の溶接を行う場合に適するノズル４を図示している。しかし、熱風の利用用途に応じてノズル４は、任意の形状のものに付け替えることができる。
【００１４】
熱風溶接機１では、火口管２２から噴出した炎により、バーナー用接続器具３において触媒作用（触媒燃焼）を起こして熱風に変える。この熱風を用いて溶接棒を溶かし、長尺シート等のつなぎ目を溶接する。
図２は、筐体を説明する図である。図２は、筐体３１を基端側から見た図である。
【００１５】
筐体３１内には、網目形状のセラミック３１２が配置されている。セラミック３１２は、触媒作用（触媒燃焼）を起こすときに用いられる。このセラミック３１２には触媒作用を起こす粉末が付着している。以下の説明では、粉末が付着したセラミック３１２を「触媒体」と言う。
図３は、調節部を説明する図である。
【００１６】
調節部３２は、筐体３１よりも半径が一回り大きな筒状の筒部３２１を有している。筒部３２１は、筐体３１の長手方向（図３中上下方向）に相対的な位置の移動が可能である。
また、調節部３２は、把持部３２２を有している。利用者は、筐体３１に対して筒部３２１の位置を移動させる際に把持部３２２を使用する。
筐体３１の側部には、突起３１３が設けられており、筒部３２１の側部には、突起３１３に対応する溝部３２１ａが形成されている。
溝部３２１ａは、係合部３２１ａ１と、係合部３２１ａ２とを有している。
【００１７】
係合部３２１ａ１は、筒部３２１が開口部３１１を覆わず、開口部３１１が全て開口した位置（図３に示す位置、以下「第１の位置」という）において突起３１３と係合することにより、筒部３２１を第１の位置に保持する。
【００１８】
係合部３２１ａ２は、筒部３２１が開口部３１１を全て覆う位置（以下「第２の位置」という）において突起３１３と係合することにより、筒部３２１を第２の位置に保持する係合部３２１ａ２とを有する。
【００１９】
第１の位置において、開口部３１１から筐体３１内部に触媒体が触媒作用を発揮する際に十分な空気を取り入れることができる。なお、第１の位置において筒部３２１が開口部３１１を一部覆っていてもよい。筒部３２１が開口部３１１を覆う面積は、筒部３２１内に取り入れる空気の量によって適宜選択することができる。
【００２０】
筒部３２１を第１の位置から第２の位置に移動させる際には、利用者は把持部３２２を把持して時計回り（図３では紙面奥側から紙面手前側に）に回転させる。これにより、突起３１３と係合部３２１ａ１との係合状態が解除される。そして、利用者は図３の上方向に把持部３２２を移動させる。これにより、開口部３１１の開口面積が少しずつ小さくなる。
その後、突起３１３が溝部３２１ａに当接する時点では、開口部３１１の全てが筒部３２１により覆われている。
利用者は把持部３２２を反時計回りに回転させる。これにより、突起３１３が係合部３２１ａ２に係合する。
【００２１】
図４は、第２の位置に位置しているときの筒部を説明する図である。図５は、第１の位置と第２の位置を説明する断面図である。図５（ａ）が第１の位置のバーナー用接触器具３の断面図であり、図５（ｂ）が第２の位置のバーナー用接触器具３の断面図である。
次に、熱風溶接機１の利用方法の一例を説明する。
【００２２】
利用者は、把持部３２２を把持して筒部３２１を第１の位置に保持する。その後、利用者は、調節ネジ２３を用いて火口管２２にガスを排出させる。その後、利用者は点火部を操作して混合ガスに点火する。点火されたガスによって勢いの強い火炎が発生し、触媒体が加熱され、触媒体の温度が上昇する。その後、利用者は、把持部３２２を把持して筒部３２１を第２の位置に保持する。これにより、筒部３２１内部に供給される空気の量が低減する。このため火炎は見た目消滅するが、本体２と火口管２２の間から筒部３２１には一定量の空気は供給されるため、触媒体が活性温度に達し、触媒体の表面で触媒燃焼が開始される。このとき、触媒体自体は青白い炎で燃焼し続ける。ノズル４の先端部からは熱風が排出され、利用者はこの熱風を利用して溶接棒を用いて長尺シート等のつなぎ目の溶接を行う。
【００２３】
以上述べたように、熱風溶接機１によれば、点火の際に取り入れる空気の量を調整できる。具体的には、点火時には、開口部３１１から多量の空気を取り入れ、その後開口部３１１を覆うようにした。これにより、小型で携帯できるサイズのバーナーを用いて火力の強い炎を起こした場合においても筐体３１内のスペース内で触媒作用を起こし、強い熱風を作成することができる。
＜第１変形例＞
【００２４】
図６および図７は、変形例のバーナー用触媒金具を説明する図である。図１と同じ機能を持つ部分には同じ符号を付している。なお、図６ではノズル４の表記を省略している。
【００２５】
変形例のバーナー用接触器具３ａは、調節部３２ａの形状が図１に示すバーナー用接触器具１とは異なっている。具体的には、調節部３２ａは、把持部３２２が筒部３２１に対して着脱可能になっている。筒部３２１には、突起３２３、３２４が設けられている。また、変形例の把持部３２２には、突起３２３、３２４に対応する孔部（図示せず）が設けられている。これにより、利用者が右利きであっても左利きであっても、使いやすい方に把持部３２２をセットすることができる。また、把持部３２２を取り外すことで作業の妨げにならない。さらに、熱風により把持部３２２が加熱され、誤って利用者に触れてしまうことを抑制することができる。
さらに、調節部３２ａにおいては、把持部３２２とは異なる形状の把持部を筒部３２１に取り付けることもできる。
図８は、異なる形状の把持部を取り付けたときのバーナー用触媒金具を説明する図である。なお、図８ではノズル４の表記を省略している。
【００２６】
把持部３２２ａは、突起３２３、３２４に係合する係合部３２２ａ１を有している。係合部３２２ａ１には、係合部３２２ａ１を突起３２３、３２４から着脱できる遊びが設けられている。係合部３２２ａ１を突起３２３、３２４に係合させる際には、利用者は把持部３２２ａの取っ手部分を把持してバーナー用接触器具３ａの先端側から把持部３２２ａを潜らせる。
【００２７】
図８に示す状態においては、利用者は把持部３２２ａの取っ手部分を把持して筒部３２１を時計回り、反時計回りに回転させることで突起３１３を係合部３２１ａ１に係合させたり、係合部３２１ａ２に係合させたりすることができる。
図９は、ノズルが装着された変形例のバーナー用触媒金具を説明する図である。
【００２８】
把持部３２２ａの環状部分の切り欠き部３２２ａ２（切り欠き部の他方の端部は調節部３２ａの裏に隠れてみえない）の長さは筒部３２１の断面の直径よりも大きく形成されている。このため、ノズル４が装着された状態であっても把持部３２２ａを筒部３２１から離脱させることができる。
【００２９】
以上、本発明のバーナー用触媒金具、操作方法、および熱風溶接機を、図示の実施の形態に基づいて説明したが、本発明はこれに限定されるものではなく、各部の構成は、同様の機能を有する任意の構成のものに置換することができる。また、本発明に、他の任意の構成物や工程が付加されていてもよい。
また、本発明は、前述した各実施の形態のうちの、任意の２以上の構成（特徴）を組み合わせたものであってもよい。
【００３０】
上記については単に本発明の原理を示すものである。さらに、多数の変形、変更が当業者にとって可能であり、本発明は上記に示し、説明した正確な構成および応用例に限定されるものではなく、対応するすべての変形例および均等物は、添付の請求項およびその均等物による本発明の範囲とみなされる。
【符号の説明】
【００３１】
１  熱風溶接機
２  バーナー本体
２１  装着部
２２  火口管
２３  調節ネジ
３、３ａ  バーナー用接触器具
３１  筐体
１００  ガスボンベ
３１１  開口部
３１２  セラミック
３１３  突起
３２  調節部
３２１  筒部
３２１ａ  溝部
３２１ａ１、３２１ａ２  係合部
３２２、３２２ａ  把持部
３２３、３２４  突起
【図１】
2018078708.tif 000003
【図２】
2018078708.tif 000004
【図３】
2018078708.tif 000005
【図４】
2018078708.tif 000006
【図５】
2018078708.tif 000007
【図６】
2018078708.tif 000008
【図７】
2018078708.tif 000009
【図８】
2018078708.tif 000010
【図９】
2018078708.tif 000011
【手続補正書】
【提出日】平成29年5月15日(2017.5.15)
【手続補正１】
【補正対象書類名】特許請求の範囲
【補正対象項目名】全文
【補正方法】変更
【補正の内容】
【特許請求の範囲】
【請求項１】
筒状をなし一端側がバーナーの炎の噴出部位に装着され、内部に触媒作用を発揮する部材が配置され側部に開口部が形成された筐体と、
前記開口部を覆う筒部と把持部とを備え、前記バーナーの炎の噴出前に前記開口部を開いておき、噴出後に前記開口部の開口面積を小さくする調節部と、
を有し、
前記筐体には突起が設けられており、
前記調節部は、前記開口部が開いている第１の位置において前記突起と係合する第１の係合部と、前記開口部を全て覆う第２の位置において前記突起と係合する第２の係合部と、を有する溝部を有し、
前記把持部が把持され前記筒部が回転することにより、前記突起と前記第１の係合部との係合が解除され、前記筒部が前記開口部の開口面積を小さくする方向に移動された後に前記筒部が回転することにより、前記突起が前記第２の係合部に係合するよう構成されていることを特徴とするバーナー用触媒金具。
【請求項２】
筒状をなし一端側がガスバーナーの炎の噴出部位に装着され、内部に触媒作用を発揮する部材が配置され側部に開口部が形成された筐体と、前記開口部を覆う筒部と把持部とを備え、前記開口部の開口面積を調節する調節部と、を有し、前記調節部は、前記開口部が開いている第１の位置において前記筐体に設けられた突起と係合する第１の係合部と、前記開口部を全て覆う第２の位置において前記突起と係合する第２の係合部と、を有する溝部を有するバーナー用触媒金具が取り付けられたガスバーナーを用意し、
前記バーナーの炎の噴出前に前記開口部を開いておき、噴出後に前記開口部の開口面積を小さくするときに、前記把持部を把持して前記筒部を回転させることにより、前記突起と前記第１の係合部との係合を解除し、前記筒部を前記開口部の開口面積を小さくする方向に移動した後に前記筒部を回転させることにより、前記突起を前記第２の係合部に係合させることを特徴とする操作方法。
【請求項３】
筒状をなし一端側がバーナーの炎の噴出部位に装着され、内部に触媒作用を発揮する部材が配置され側部に開口部が形成された筐体と、前記開口部を覆う筒部と把持部とを備え、前記バーナーの炎の噴出前に前記開口部を開いておき、噴出後に前記開口部の開口面積を小さくする調節部と、を有するバーナー用触媒金具と、
燃料ガスを収容するガスタンクからの燃料ガスを噴出する噴出部と前記燃料ガスの流量を調節する調節部とを備えるバーナー本体と、を有し、
前記筐体には突起が設けられており、
前記調節部は、前記開口部が開いている第１の位置において前記突起と係合する第１の係合部と、前記開口部を全て覆う第２の位置において前記突起と係合する第２の係合部と、を有する溝部を有し、
前記把持部が把持され前記筒部が回転することにより、前記突起と前記第１の係合部との係合が解除され、前記筒部が前記開口部の開口面積を小さくする方向に移動された後に前記筒部が回転することにより、前記突起が前記第２の係合部に係合するよう構成されていることを特徴とする熱風溶接機。
【請求項４】
前記把持部が前記筒部に対して着脱可能である請求項１に記載のバーナー用触媒金具。
【国際調査報告】
2018078708.tif 000012
2018078708.tif 000013
2018078708.tif 000014
2018078708.tif 000015